【手続補正書】
【提出日】令和1年12月13日(2019.12.13)
【手続補正１】
【補正対象書類名】明細書
【補正対象項目名】０００９
【補正方法】変更
【補正の内容】
【０００９】
上記課題は、本発明により、独立請求項に記載された特徴によって解決される。
本発明の第１の視点により、組織試料を調製するための装置が提供される。該装置は、組織試料が配される容器と、前記容器に化学物質を投与するための投与装置と、を備え、該装置において、
前記容器は唯一の組織試料を収容するよう構成されており、
前記装置は前記容器を空にするための排出装置を備えること、及び、
複数の連続するサイクルにおいて、それぞれ、前記物質のうちの少なくとも１つが前記容器に投与され、前記容器が所定の期間後に再び空にされるように前記投与装置と前記排出装置とを制御するよう構成されている制御ユニットが設けられていることを特徴とする（形態１）。
本発明の第２の視点により、組織試料を調製する方法が提供される。該方法は、以下のステップ：
・複数の組織試料を複数の容器に配すること、但し、前記複数の組織試料のそれぞれ１つが前記複数の容器のそれぞれ１つに配されること；
・その後、複数の連続するサイクルにおいてそれぞれ以下のステップが実行されること：
・前記容器の各々に少なくとも１つの化学物質を投与すること；
・前記容器を空にすること
を含むことを特徴とする（形態１８）。
【手続補正２】
【補正対象書類名】明細書
【補正対象項目名】００１０
【補正方法】変更
【補正の内容】
【００１０】
本発明の他の実施形態は従属請求項から明らかになる。
ここに、本発明の好ましい実施の形態を示す。
（形態１）上記第１の視点参照。
（形態２）形態１の装置において、前記排出装置は前記容器を自動的に傾動させるための傾動装置として構成されていることが好ましい。
（形態３）形態１の装置において、前記排出装置は前記容器を自動的に開閉するための閉鎖装置として構成されていることが好ましい。
（形態４）形態１の装置において、前記排出装置は前記容器に入った物質を自動的に吸い出すための吸出装置として構成されていることが好ましい。
（形態５）形態１〜４のいずれかの装置において、前記容器から流れ出す物質を収容する少なくとも１つの廃棄物容器が設けられていることが好ましい。
（形態６）形態５の装置において、前記廃棄物容器は閉鎖可能な蓋を有することが好ましい。
（形態７）形態６の装置において、前記蓋を自動的に開閉する開閉装置が設けられていることが好ましい。
（形態８）形態１〜７のいずれかの装置において、前記容器内の物質を蒸発させることが可能な加熱装置が設けられていることが好ましい。
（形態９）形態１〜８のいずれかの装置において、前記容器は、組織試料を、または前記組織試料とともにカセットを収容するよう構成されており、及び、前記容器が空にされる場合に前記組織試料または前記組織試料を有する前記カセットが前記容器から脱落しないよう構成されている保持手段をさらに有することが好ましい。
（形態１０）形態９の装置において、前記保持手段は係止機構を含むことが好ましい。
（形態１１）形態１〜１０のいずれかの装置において、前記投与装置はそれぞれ１つの特定の物質を含む複数の投与容器を備えることが好ましい。
（形態１２）形態１〜１１のいずれかの装置において、前記投与装置は複数の投与容器を備え、前記複数の投与容器のうちの少なくとも１つは前記組織試料を脱水するための物質が充填され、かつ、少なくとも別の１つはワックスが充填されることが好ましい。
（形態１３）形態１〜１２のいずれかの装置において、前記投与装置は複数の投与容器を備え、前記複数の投与容器は共通のカートリッジに組み込まれていることが好ましい。
（形態１４）形態１〜１３のいずれかの装置において、前記投与装置は複数の投与容器を備えること、及び、前記複数の投与容器のうちの少なくとも１つを加熱するための加熱装置が設けられていることが好ましい。
（形態１５）形態１〜１４のいずれかの装置において、前記カセット上のコードを読み取り可能なカメラを含むこと、及び、前記制御ユニットは前記コードに含まれる情報に応じて個別の脱水手順を実行するよう構成されていることが好ましい。
（形態１６）形態１〜１５のいずれかの装置において、それぞれただ１つの組織試料が配される複数の容器を備えることが好ましい。
（形態１７）形態１６の装置において、前記投与装置は、１つの容器から次の容器へ順次的に移動できるよう、可動に構成されていることが好ましい。
（形態１８）上記第２の視点参照。
【手続補正３】
【補正対象書類名】明細書
【補正対象項目名】００３８
【補正方法】変更
【補正の内容】
【００３８】
以下に、本発明を添付の図面を用いて例示的に詳しく説明する。
なお、特許請求の範囲に付記した図面参照符号は専ら発明の理解を助けるためのものに過ぎず、本発明を図示の態様に限定することは意図していない。
【手続補正４】
【補正対象書類名】明細書
【補正対象項目名】００７６
【補正方法】変更
【補正の内容】
【００７６】
排出装置２３ないしは排出方法の個々の実施形態は、当業者が有意義とみなす範囲内で任意に組み合わせられることができる。
以下に本発明の可能な態様を付記する。
［付記１］組織試料を調製するための装置。該装置は、組織試料が配される容器と、前記容器に化学物質を投与するための投与装置と、を備える。
前記容器は唯一の組織試料を収容するよう構成されている。
前記装置は前記容器を空にするための排出装置を備えている。
複数の連続するサイクルにおいて、それぞれ、前記物質のうちの少なくとも１つが前記容器に投与され、前記容器が所定の期間後に再び空にされるように前記投与装置と前記排出装置とを制御するよう構成されている制御ユニットが設けられている。
［付記２］上記の装置において、前記排出装置は前記容器を自動的に傾動させるための傾動装置として構成されている。
［付記３］上記の装置において、前記排出装置は前記容器を自動的に開閉するための閉鎖装置として構成されている。
［付記４］上記の装置において、前記排出装置は前記容器に入った物質を自動的に吸い出すための吸出装置として構成されている。
［付記５］上記の装置において、前記容器から流れ出す物質を収容する少なくとも１つの廃棄物容器が設けられている。
［付記６］上記の装置において、前記廃棄物容器は閉鎖可能な蓋を有する。
［付記７］上記の装置は、前記蓋を自動的に開閉する開閉装置が設けられている。
［付記８］上記の装置は、前記容器内の物質を蒸発させることが可能な加熱装置が設けられている。
［付記９］上記の装置において、前記容器は、組織試料を、または前記組織試料とともにカセットを収容するよう構成されており、及び、前記容器が空にされる場合に前記組織試料または前記組織試料を有する前記カセットが前記容器から脱落しないよう構成されている保持手段をさらに有する。
［付記１０］上記の装置において、前記保持手段は係止機構を含む。
［付記１１］上記の装置において、前記投与装置はそれぞれ１つの特定の物質を含む複数の投与容器を備える。
［付記１２］上記の装置において、前記投与装置は複数の投与容器を備え、前記複数の投与容器のうちの少なくとも１つは前記組織試料を脱水するための物質が充填され、かつ、少なくとも別の１つはワックスが充填される。
［付記１３］上記の装置において、前記投与装置は複数の投与容器を備え、前記複数の投与容器は共通のカートリッジに組み込まれている。
［付記１４］上記の装置において、前記投与装置は複数の投与容器を備え、及び、前記複数の投与容器のうちの少なくとも１つを加熱するための加熱装置が設けられている。
［付記１５］上記の装置は、前記カセット上のコードを読み取り可能なカメラを含み、及び、前記制御ユニットは前記コードに含まれる情報に応じて個別の脱水手順を実行するよう構成されている。
［付記１６］上記の装置は、それぞれただ１つの組織試料が配される複数の容器を備える。
［付記１７］上記の装置において、前記投与装置は、１つの容器から次の容器へ順次的に移動できるよう、可動に構成されている。
［付記１８］組織試料を調製する方法。該方法は、以下のステップ：
・複数の組織試料を複数の容器に配すること、但し、前記複数の組織試料のそれぞれ１つが前記複数の容器のそれぞれ１つに配されること；
・その後、複数の連続するサイクルにおいてそれぞれ以下のステップが実行されること：
・前記容器の各々に少なくとも１つの化学物質を投与すること；
・前記容器を空にすること
を含む。